(57)【特許請求の範囲】
【請求項１】
ユーザ装置と通信する交換機と、前記ユーザ装置を管理する管理サーバとを有する無線通信システムにおける交換機であって、
アタッチ要求又はトラッキングエリア更新要求を前記ユーザ装置から受信し、前記アタッチ要求又は前記トラッキングエリア更新要求のＮＡＳメッセージに基づいて、前記ユーザ装置に設定する拡張間欠受信パラメータを前記管理サーバから受信する受信部と、
受信された前記拡張間欠受信パラメータを前記ユーザ装置に送信する送信部と、を有し、
前記ＮＡＳメッセージに対応する前記ユーザ装置の識別子に基づいて、ユーザ装置ごとに前記管理サーバに記憶される前記拡張間欠受信パラメータを、ユーザ装置ごとに送信可能であり、
前記受信部は、前記ユーザ装置に設定する拡張間欠受信パラメータを前記ユーザ装置が在圏していた他の交換機から受信することができない場合に、前記ユーザ装置に設定する拡張間欠受信パラメータを前記管理サーバから受信する交換機。
【請求項２】
ユーザ装置と通信する交換機と、前記ユーザ装置を管理する管理サーバとを有する無線通信システムにおける管理サーバであって、
前記ユーザ装置に設定する拡張間欠受信パラメータを、前記ユーザ装置ごとに記憶する記憶部と、
アタッチ要求又はトラッキングエリア更新要求を前記ユーザ装置から受信した前記交換機から要求を受けた場合に、前記アタッチ要求又は前記トラッキングエリア更新要求のＮＡＳメッセージに基づいて、前記ユーザ装置に設定する拡張間欠受信パラメータを前記交換機に送信する送信部と、を有し、
前記ＮＡＳメッセージに対応する前記ユーザ装置の識別子に基づいて、ユーザ装置ごとに前記管理サーバに記憶される前記拡張間欠受信パラメータを、ユーザ装置ごとに前記交換機に送信し、
前記送信部は、前記ユーザ装置に設定する拡張間欠受信パラメータを前記ユーザ装置が在圏していた他の交換機から受信することができない場合に、前記ユーザ装置に設定する拡張間欠受信パラメータを前記交換機に送信する管理サーバ。
【請求項３】
ユーザ装置と通信する交換機と、前記ユーザ装置を管理する管理サーバとを有する無線通信システムにおける交換機が実行する通信方法であって、
アタッチ要求又はトラッキングエリア更新要求を前記ユーザ装置から受信し、前記アタッチ要求又は前記トラッキングエリア更新要求のＮＡＳメッセージに基づいて、前記ユーザ装置に設定する拡張間欠受信パラメータを前記管理サーバから受信するステップと、
受信された前記拡張間欠受信パラメータを前記ユーザ装置に送信するステップと、を有し、
前記ＮＡＳメッセージに対応する前記ユーザ装置の識別子に基づいて、ユーザ装置ごとに前記管理サーバに記憶される前記拡張間欠受信パラメータを、ユーザ装置ごとに送信可能であり、
前記受信するステップにおいて、前記ユーザ装置に設定する拡張間欠受信パラメータを前記ユーザ装置が在圏していた他の交換機から受信することができない場合に、前記ユーザ装置に設定する拡張間欠受信パラメータを前記管理サーバから受信する通信方法。
【発明の詳細な説明】
【技術分野】
【０００１】
本発明は、交換機、管理サーバ及び通信方法に関する。
【背景技術】
【０００２】
ＵＭＴＳ（Universal  Mobile  Telecommunications  System）ネットワークにおいて、さらなる高速データレート、低遅延などを目的としてロングタームエボリューション（ＬＴＥ：Long  Term  Evolution）が仕様化された（非特許文献１）。また、ＬＴＥからの更なる広帯域化及び高速化を目的として、ＬＴＥの後継システム（例えば、ＬＴＥ−Ａ（LTE-Advanced）、ＦＲＡ（Future  Radio  Access）、４Ｇ、５Ｇなどともいう）も検討されている。
【０００３】
ところで、近年、通信装置の低コスト化に伴い、ネットワークに繋がれた装置が、人間の手を介さずに相互に通信して自動的に制御を行う機器間通信（Ｍ２Ｍ：Machine-to-Machine）の技術開発が盛んに行われている。特に、３ＧＰＰ（Third  Generation  Partnership  Project）は、Ｍ２Ｍの中でも機器間通信用のセルラシステムとして、ＭＴＣ（Machine  Type  Communication）の最適化に関する標準化を進めている。標準化の中で、ＭＴＣ向けの端末（ＩｏＴ（Internet of Things）向けの端末とも呼ばれる）が備えるべき各種機能も検討されており、一例として、コスト削減を図るために送受信帯域幅を限定したＭＴＣ端末が検討されている。他の例として、ＭＴＣ端末は建物の奥深い場所及び地下などの建物侵入損が大きく、無線通信が困難な場所に配置される可能性があるため、カバレッジ拡張を目的としたＭＴＣ端末も検討されている。
【０００４】
ＭＴＣ端末（ＭＴＣ  ＵＥ（User  Equipment））は、例えば電気メータ、ガスメータ、自動販売機、車両、その他産業機器などの幅広い分野への利用が考えられている。
【先行技術文献】
【非特許文献】
【０００５】
【非特許文献１】3GPP  TS  36.300  "Evolved  Universal  Terrestrial  Radio  Access  (E-UTRA)  and  Evolved  Universal  Terrestrial  Radio  Access  Network  (E-UTRAN);  Overall  description;  Stage  2"
【非特許文献２】3GPP  TS  23.401  "General Packet Radio Service (GPRS) enhancements for Evolved Universal Terrestrial Radio Access Network (E-UTRAN) access"
【発明の概要】
【発明が解決しようとする課題】
【０００６】
従来の３ＧＰＰの規定によれば、端末は、ＤＲＸ（Discontinuous Reception）で指定される周期内の所定の期間（On duration）に限りページング信号をモニタし、それ以外の時間は休止状態になることで消費電力を抑制する。なお、ＤＲＸの周期は、最大で２．５６秒（２５６０サブフレーム）である。
【０００７】
ここで、３ＧＰＰのＲｅｌ−１２及びＲｅｌ−１３では、ＭＴＣ端末の更なる省電力化を目的として、ｅＤＲＸ（extended idle-mode Discontinuous Reception）と呼ばれる技術が導入された。ｅＤＲＸでは、端末がページング信号をモニタする周期を、最大で２６２１．４４秒（４３．６９分）に延長することができる。ｅＤＲＸに関するパラメータ（ページング信号をモニタする周期など）は、アタッチ処理、ＴＡ（Tracking Area）更新処理などのタイミングで端末に通知される。
【０００８】
ＭＴＣ端末は、様々な用途で用いられることが想定されるため、例えば、ＭＴＣ端末を利用するシステムが行う処理等によって、省電力化を優先するのか又はページング可能な頻度を優先するのか等の要求条件が異なることが想定される。従って、ｅＤＲＸに関するパラメータは、端末毎、顧客毎などの単位で容易かつ柔軟に設定／変更できるようにするため、ＨＳＳ（Home Subscriber Server）／ＨＬＲ（Home Location Register）で管理されるのが望ましい。
【０００９】
しかしながら、現状の３ＧＰＰの規定では、ｅＤＲＸに関するパラメータの設定値の管理はＭＭＥ（Mobility Management Entity）内部の実装に委ねられているのが現状であり、ＨＳＳ／ＨＬＲで管理することが可能な技術は規定されていない。
【００１０】
なお、ｅＤＲＸは、ＬＴＥのみならず３Ｇにおいても導入されていることから、上述の課題は３Ｇでも発生し得る。
【００１１】
開示の技術は上記に鑑みてなされたものであって、ｅＤＲＸに関するパラメータをＨＳＳ／ＨＬＲで管理することが可能な技術を提供することを目的とする。
【課題を解決するための手段】
【００１２】
開示の技術の交換機は、ユーザ装置と通信する交換機と、前記ユーザ装置を管理する管理サーバとを有する無線通信システムにおける交換機であって、アタッチ要求又はトラッキングエリア更新要求を前記ユーザ装置から受信し、前記アタッチ要求又は前記トラッキングエリア更新要求のＮＡＳメッセージに基づいて、前記ユーザ装置に設定する拡張間欠受信パラメータを前記管理サーバから受信する受信部と、受信された前記拡張間欠受信パラメータを前記ユーザ装置に送信する送信部と、を有し、前記ＮＡＳメッセージに対応する前記ユーザ装置の識別子に基づいて、ユーザ装置ごとに前記管理サーバに記憶される前記拡張間欠受信パラメータを、ユーザ装置ごとに送信可能であり、前記受信部は、前記ユーザ装置に設定する拡張間欠受信パラメータを前記ユーザ装置が在圏していた他の交換機から受信することができない場合に、前記ユーザ装置に設定する拡張間欠受信パラメータを前記管理サーバから受信する。
【発明の効果】
【００１３】
開示の技術によれば、ｅＤＲＸに関するパラメータをＨＳＳ／ＨＬＲで管理することが可能な技術が提供される。
【図面の簡単な説明】
【００１４】
【図１】実施の形態に係る無線通信システムのシステム構成の一例を示す図である。
【図２】ＬＴＥにおける処理手順の一例を示すシーケンス図である。
【図３】３Ｇにおける処理手順の一例を示すシーケンス図である。
【図４】ｅＤＲＸ値が変更された場合における処理手順の一例を示すシーケンス図である。
【図５】標準仕様の変更例を示す図である。
【図６】実施の形態に係るＭＭＥ／ＳＧＳＮの機能構成の一例を示す図である。
【図７】実施の形態に係るＨＳＳ（ＨＬＲ／ＨＳＳ）の機能構成の一例を示す図である。
【図８】実施の形態に係るＭＭＥ／ＳＧＳＮ／ＨＳＳ（ＨＬＲ／ＨＳＳ）のハードウェア構成の一例を示す図である。
【発明を実施するための形態】
【００１５】
以下、図面を参照して本発明の実施の形態を説明する。なお、以下で説明する実施の形態は一例に過ぎず、本発明が適用される実施の形態は、以下の実施の形態に限られるわけではない。例えば、本実施の形態に係る通信システムは３Ｇ又はＬＴＥに準拠した方式のシステムを想定しているが、本発明は３Ｇ又はＬＴＥに限定されるわけではなく、他の方式にも適用可能である。なお、本明細書及び特許請求の範囲において、「ＬＴＥ」は、３ＧＰＰのリリース８、又は９に対応する通信方式のみならず、３ＧＰＰのリリース１０、１１、１２、１３、又はリリース１４以降に対応する第５世代の通信方式も含む広い意味で使用する。
【００１６】
＜システム構成＞
図１は、実施の形態に係る無線通信システムのシステム構成の一例を示す図である。図１に示すように、本実施の形態における無線通信システムは、ユーザ装置ＵＥと、基地局１ａと、基地局１ｂと、ＭＭＥ２ａと、ＭＭＥ２ｂと、ＳＧＳＮ（Serving GPRS Support Node）３ａと、ＳＧＳＮ３ｂと、ＨＳＳ（ＨＬＲ／ＨＳＳ）４と、管理装置５とを有する。図１に示すシステム構成は、本発明の実施の形態に特に関連する装置のみを示すものであり、少なくとも３Ｇ及びＬＴＥに準拠した動作を行うための図示しない装置も有するものである。
【００１７】
ユーザ装置ＵＥは、無線を通じて基地局１ａ、基地局１ｂと通信する機能を有する。ユーザ装置ＵＥは、ＭＴＣ端末であることを想定しているが、これに限定されるものではない。また、ユーザ装置ＵＥは、３Ｇのみをサポートしていてもよいし、ＬＴＥのみをサポートしていてもよいし、３Ｇ及びＬＴＥの両方をサポートしていてもよい。
【００１８】
基地局１ａは、ＬＴＥにおける基地局（ｅＮＢ：evolved Node B）であり、無線を通じてユーザ装置ＵＥとの間で通信を行う。また、基地局１ａは、ＭＭＥ２ａ及びＭＭＥ２ｂと接続されており、ユーザ装置ＵＥと、ＭＭＥ２ａ及びＭＭＥ２ｂとの間で送受信されるＮＡＳ（Non Access Stratum）メッセージ等を中継する。基地局１ｂは、３Ｇにおける基地局（ＲＮＣ：Radio Network Controller、ＮＢ：NodeB）であり、無線を通じてユーザ装置ＵＥとの間で通信を行う。また、基地局１ｂは、ＳＧＳＮ３ａ及びＳＧＳＮ３ｂと接続されており、ユーザ装置ＵＥと、ＳＧＳＮ３ａ及びＳＧＳＮ３ｂとの間で送受信されるＮＡＳメッセージ等を中継する。
【００１９】
ＭＭＥ２ａ及びＭＭＥ２ｂは同一の機能を有しており、ユーザ装置ＵＥのモビリティ制御機能及びＥＰＣベアラ制御機能等を提供する装置である。以下の説明において、ＭＭＥ２ａ及びＭＭＥ２ｂを特に区別しない場合は「ＭＭＥ２」と記載する。なお、本実施の形態に係る無線通信システムは、１つのＭＭＥ２のみを有していてもよいし、３つ以上のＭＭＥ２を有していてもよい。
【００２０】
ＳＧＳＮ３ａ及びＳＧＳＮ３ｂは同一の機能を有しており、ユーザ装置ＵＥのモビリティ制御機能及びベアラ制御機能等を提供する装置である。以下の説明において、ＳＧＳＮ３ａ及びＳＧＳＮ３ｂを特に区別しない場合は「ＳＧＳＮ３」と記載する。なお、本実施の形態に係る無線通信システムは、１つのＳＧＳＮ３のみを有していてもよいし、３つ以上のＳＧＳＮ３を有していてもよい。
【００２１】
ＨＳＳ（ＨＬＲ／ＨＳＳ）４は、ユーザ装置ＵＥの位置情報及び加入者情報を管理するサーバである。なお、ＨＳＳ（ＨＬＲ／ＨＳＳ）４は、ＬＴＥではＨＳＳと呼ばれ、３Ｇでは、ＨＬＲ／ＨＳＳと呼ばれているが、以下の説明では、まとめてＨＳＳ（ＨＬＲ／ＨＳＳ）４と記載する。
【００２２】
管理装置５は、加入者の契約情報等の管理を行う装置であり、顧客窓口等に配置されるクライアント端末が接続されている。また、管理装置５は、ＨＳＳ（ＨＬＲ／ＨＳＳ）４と接続され、加入者の契約情報の追加変更及び削除等に対応して、ＨＳＳ（ＨＬＲ／ＨＳＳ）４が備える加入者ＤＢ（Database）に記憶されている加入者情報の追加、変更及び削除等を行うことができる。
【００２３】
＜処理手順＞
続いて、実施の形態に係る無線通信システムが行う具体的な処理手順について説明する。なお、ユーザ装置ＵＥは、ｅＤＲＸをサポートしている前提である。また、ユーザ装置ＵＥに設定すべきｅＤＲＸに関するパラメータの設定値（以下、「eDRX value」と呼ぶ）は、ＨＳＳ（ＨＬＲ／ＨＳＳ）４の加入者ＤＢに、加入者毎に（ユーザ装置ＵＥ毎に）予め設定されている前提とする。また、ｅＤＲＸに関するパラメータには、例えば、ページング信号をモニタすべき周期などが含まれる。
【００２４】
（ＬＴＥ）
図２は、ＬＴＥにおける処理手順の一例を示すシーケンス図である。図２において、ＭＭＥ２ａは、ユーザ装置ＵＥが在圏しているＭＭＥ２（Ｎｅｗ  ＭＭＥ）であり、ＭＭＥ２ｂ又はＳＧＳＮ３は、ユーザ装置ＵＥがＭＭＥ２ａに在圏する前に在圏していた旧ＭＭＥ２（Ｏｌｄ  ＭＭＥ）又は旧ＳＧＳＮ３（Ｏｌｄ  ＳＧＳＮ）である。
【００２５】
まず、ユーザ装置ＵＥは、基地局１ａを介してＭＭＥ２ａにAttach Request又はTAU Requestを送信する（Ｓ１０１、Ｓ１０２）。なお、Attach Requestは、ユーザ装置ＵＥがネットワークにアタッチする際に送信されるＮＡＳメッセージであり、TAU Requestは、ユーザ装置ＵＥの移動によりＴＡの更新が行われる際に送信されるＮＡＳメッセージである。
【００２６】
続いて、ＭＭＥ２ａは、ユーザ装置ＵＥが以前在圏していたＭＭＥ２ｂ又はＳＧＳＮ３に、Identification Request又はContext Requestを送信する（Ｓ１０３）。Identification Requestは、ユーザ装置ＵＥからAttach Requestを受信した際に用いられるメッセージであり、Context Requestは、ユーザ装置ＵＥからTAU Requestを受信した際に用いられるメッセージである。なお、ＭＭＥ２ａは、ユーザ装置ＵＥが以前在圏していたＭＭＥ２ｂ又はＳＧＳＮ３を認識することが出来ない場合（例えば、ユーザ装置ＵＥが初めてネットワークに在圏する場合などを含む）、ＭＭＥ２ｂ又はＳＧＳＮ３から「eDRX value」を受信（取得）することが出来ないと判断し、ステップＳ１０３の処理手順を行わずにステップＳ１０５の処理手順に進む。
【００２７】
続いて、ＭＭＥ２ｂ又はＳＧＳＮ３は、「eDRX value」を含むIdentification Response又はContext ResponseをＭＭＥ２ａに送信する（Ｓ１０４）。なお、ＭＭＥ２ｂ又はＳＧＳＮ３が当該ユーザ装置ＵＥの「eDRX value」を保持していない場合は、ＭＭＥ２ｂ又はＳＧＳＮ３は、「eDRX value」を含まないIdentification Response又はContext ResponseをＭＭＥ２ａに送信することになる。
【００２８】
ＭＭＥ２ａは、ＭＭＥ２ｂ又はＳＧＳＮ３から「eDRX value」を受信（取得）することが出来ない場合、「eDRX value」を取得するために、ＨＳＳ（ＨＬＲ／ＨＳＳ）４にUpdate Location Requestを送信する（Ｓ１０５）。一方、ＭＭＥ２ｂ又はＳＧＳＮ３から「eDRX value」を受信することが出来た場合、ステップＳ１０７の処理手順に進む。なお、ＭＭＥ２ｂ又はＳＧＳＮ３から「eDRX value」を受信することが出来ない場合とは、上述した"ユーザ装置ＵＥが以前在圏していたＭＭＥ２ｂ又はＳＧＳＮ３を、ＭＭＥ２ａが認識することが出来ない場合"に加えて、例えば、ＭＭＥ２ｂ又はＳＧＳＮ３から受信したIdentification Response又はContext Responseに「eDRX value」が含まれていない場合、ＭＭＥ２ｂ又はＳＧＳＮ３から受信したIdentification Response又はContext Responseに含まれる「eDRX value」が不正な値である場合なども含まれる。
【００２９】
続いて、ＨＳＳ（ＨＬＲ／ＨＳＳ）４は、自身が備える加入者ＤＢからユーザ装置ＵＥの「eDRX value」を取得し、取得した「eDRX value」を含むUpdate Location AnswerをＭＭＥ２ａに送信する（Ｓ１０６）。なお、Update Location Requestには、ユーザ装置ＵＥを特定するＩＤ（ＩＭＳＩ：International Mobile Subscriber Identity）が含まれているため、ＨＳＳ（ＨＬＲ／ＨＳＳ）４は、ＩＭＳＩをキーに加入者ＤＢを検索することでユーザ装置ＵＥ毎の「eDRX value」を取得することができる。
【００３０】
続いて、ＭＭＥ２ａは、基地局１ａを介して、「eDRX value」を含むAttach Accept又はTAU Acceptをユーザ装置ＵＥに送信する（Ｓ１０７、Ｓ１０８）。
【００３１】
（３Ｇ）
図３は、３Ｇにおける処理手順の一例を示すシーケンス図である。図３において、ＳＧＳＮ３ａは、ユーザ装置ＵＥが在圏しているＳＧＳＮ３（Ｎｅｗ  ＳＧＳＮ）であり、ＭＭＥ２又はＳＧＳＮ３ｂは、ユーザ装置ＵＥがＳＧＳＮ３ａに在圏する前に在圏していた旧ＭＭＥ２（Ｏｌｄ  ＭＭＥ）又は旧ＳＧＳＮ３（Ｏｌｄ  ＳＧＳＮ）である。
【００３２】
まず、ユーザ装置ＵＥは、基地局１ｂを介してＳＧＳＮ３ａにAttach Request又はRAU Requestを送信する（Ｓ２０１、Ｓ２０２）。なお、Attach Requestは、ユーザ装置ＵＥがネットワークにアタッチする際に送信されるＮＡＳメッセージであり、RAU Requestは、ユーザ装置ＵＥの移動によりＲＡ（Routing Area）の更新が行われる際に送信されるＮＡＳメッセージである。
【００３３】
続いて、ＳＧＳＮ３ａは、ユーザ装置ＵＥが以前在圏していたＭＭＥ２又はＳＧＳＮ３ｂに、Identification Request又はContext Requestを送信する（Ｓ２０３）。Identification Requestは、ユーザ装置ＵＥからAttach Requestを受信した際に用いられるメッセージであり、Context Requestは、ユーザ装置ＵＥからRAU Requestを受信した際に用いられるメッセージである。なお、ＳＧＳＮ３ａは、ユーザ装置ＵＥが以前在圏していたＭＭＥ２又はＳＧＳＮ３ｂを認識することが出来ない場合（例えば、ユーザ装置ＵＥが初めてネットワークに在圏する場合などを含む）、ＭＭＥ２又はＳＧＳＮ３ｂから「eDRX value」を受信（取得）することが出来ないと判断し、ステップＳ２０３の処理手順を行わずにステップＳ２０５の処理手順に進む。
【００３４】
続いて、ＭＭＥ２又はＳＧＳＮ３ｂは、「eDRX value」を含むIdentification Response又はContext ResponseをＳＧＳＮ３ａに送信する（Ｓ２０４）。なお、ＭＭＥ２又はＳＧＳＮ３ｂが当該ユーザ装置ＵＥの「eDRX value」を保持していない場合は、ＭＭＥ２又はＳＧＳＮ３ｂは、「eDRX value」を含まないIdentification Response又はContext ResponseをＳＧＳＮ３ａに送信することになる。
【００３５】
ＳＧＳＮ３ａは、ＭＭＥ２又はＳＧＳＮ３ｂから「eDRX value」を受信（取得）することが出来ない場合、「eDRX value」を取得するために、ＨＳＳ（ＨＬＲ／ＨＳＳ）４にUpdate Location Requestを送信する（Ｓ２０５）。一方、ＭＭＥ２又はＳＧＳＮ３ｂから「eDRX value」を受信することが出来た場合、ステップＳ２０９の処理手順に進む。なお、ＭＭＥ２又はＳＧＳＮ３ｂから「eDRX value」を受信することが出来ない場合とは、上述した"ユーザ装置ＵＥが以前在圏していたＭＭＥ２又はＳＧＳＮ３ｂを、ＳＧＳＮ３ａが認識することが出来ない場合"に加えて、例えば、ＭＭＥ２又はＳＧＳＮ３ｂから受信したIdentification Response又はContext Responseに「eDRX value」が含まれていない場合、ＭＭＥ２又はＳＧＳＮ３ｂから受信したIdentification Response又はContext Responseに含まれる「eDRX value」が不正な値である場合なども含まれる。
【００３６】
続いて、ＨＳＳ（ＨＬＲ／ＨＳＳ）４は、自身が備える加入者ＤＢからユーザ装置ＵＥの「eDRX value」を取得し、取得した「eDRX value」を含むInsert Subscriber DataをＳＧＳＮ３ａに送信する（Ｓ２０６）。なお、Update Location Requestには、ユーザ装置ＵＥを特定するＩＤ（ＩＭＳＩ：International Mobile Subscriber Identity）が含まれているため、ＨＳＳ（ＨＬＲ／ＨＳＳ）４は、ＩＭＳＩをキーに加入者ＤＢを検索することでユーザ装置ＵＥ毎の「eDRX value」を取得することができる。
【００３７】
続いて、ＳＧＳＮ３ａは、Insert Subscriber Data AckをＨＳＳ（ＨＬＲ／ＨＳＳ）４に送信する（Ｓ２０７）。続いて、ＨＳＳ（ＨＬＲ／ＨＳＳ）４は、Update Location AnswerをＳＧＳＮ３ａに送信する（Ｓ２０８）。
【００３８】
なお、以上、ステップＳ２０５乃至ステップＳ２０８の処理手順は、ＳＧＳＮ３ａ及びＨＳＳ（ＨＬＲ／ＨＳＳ）４の間でＧｒインターフェースが用いられる場合に該当する。ＳＧＳＮ３ａ及びＨＳＳ（ＨＬＲ／ＨＳＳ）４の間でＳ６ｄインターフェースが用いられる場合、ステップＳ２０６及びステップＳ２０７の処理手順は省略され、ＨＳＳ（ＨＬＲ／ＨＳＳ）４は、「eDRX value」を含むUpdate Location AnswerをＳＧＳＮ３ａに送信する（Ｓ２０８）。
【００３９】
続いて、ＳＧＳＮ３ａは、基地局１ｂを介して、「eDRX value」を含むAttach Accept又はRAU Acceptをユーザ装置ＵＥに送信する（Ｓ２０９、Ｓ２１０）。
【００４０】
（「eDRX value」の変更）
図４は、ｅＤＲＸ値が変更された場合における処理手順の一例を示すシーケンス図である。なお、ステップＳ３０２及びステップＳ３０３はＬＴＥにおける処理手順であり、ステップＳ３０４及びステップＳ３０５は３Ｇにおける処理手順である。
【００４１】
ユーザ装置ＵＥがＬＴＥのネットワークにアタッチした後（Ｓ３０１）で、ＨＳＳ（ＨＬＲ／ＨＳＳ）４の加入者ＤＢに設定されている「eDRX value」が変更された場合、ＨＳＳ（ＨＬＲ／ＨＳＳ）４は、変更後の「eDRX value」を含むInsert Subscriber Data RequestをＭＭＥ２ａに送信する（Ｓ３０２）。続いて、ＭＭＥ２ａは、Insert Subscriber Data AnswerをＨＳＳ（ＨＬＲ／ＨＳＳ）４に送信する（Ｓ３０３）。
【００４２】
ユーザ装置ＵＥが３Ｇのネットワークにアタッチした後（Ｓ３０１）で、ＨＳＳ（ＨＬＲ／ＨＳＳ）４の加入者ＤＢに設定されている「eDRX value」が変更された場合、ＨＳＳ（ＨＬＲ／ＨＳＳ）４は、変更後の「eDRX value」を含むInsert Subscriber DataをＳＧＳＮ３ａに送信する（Ｓ３０４）。続いて、ＳＧＳＮ３ａは、Insert Subscriber Data AckをＨＳＳ（ＨＬＲ／ＨＳＳ）４に送信する（Ｓ３０５）。
【００４３】
続いて、ＭＭＥ２ａ又はＳＧＳＮ３ａは、ユーザ装置ＵＥに対して、デタッチ及び再アタッチを指示した後、又は、（定期的な）ＴＡＵ（TA Update）若しくはＲＡＵ（RA Update）まで待機した後（Ｓ３０６）、「eDRX value」を含むAttach Accept、TAU Accept、又はRAU Acceptをユーザ装置ＵＥに送信する（Ｓ３０７）。
【００４４】
以上、実施の形態に係る無線通信システムが行う具体的な処理手順について説明した。従来のように、ｅＤＲＸに関するパラメータの設定値の管理がＭＭＥ２の実装に委ねられている場合、ｅＤＲＸに関するパラメータの設定及び変更を行う際にはＭＭＥ２内部の管理ファイル等を書き換える必要があることから、保守者の負担が多く、パラメータを容易に設定することは困難であった。また、加入者単位で異なるパラメータを設定及び変更する場合、ＭＭＥ内部の管理ファイル等をＩＭＳＩ単位で設定及び変更する必要があり、更に保守者の負担が増大する要因となっていた。
【００４５】
一方、本処理手順によれば、ｅＤＲＸに関するパラメータをＨＳＳ（ＨＬＲ／ＨＳＳ）４が備える加入者ＤＢで一元的に管理することができ、例えば、管理装置５を通じて、ＭＴＣ端末の種別毎、加入者毎などの要望に応じて容易かつ柔軟にパラメータを設定／変更することが可能になる。
【００４６】
（仕様変更例）
図５は、本実施の形態に対応する３ＧＰＰの標準仕様（ＴＳ  ２３．４０１）を変更する場合の変更例を示している。
【００４７】
＜機能構成＞
本発明の実施の形態の動作を実行するＭＭＥ２、ＳＧＳＮ３及びＨＳＳ（ＨＬＲ／ＨＳＳ）４の機能構成例を説明する。
【００４８】
（ＭＭＥ／ＳＧＳＮ）
図６は、実施の形態に係るＭＭＥ／ＳＧＳＮの機能構成の一例を示す図である。図６に示すように、ＭＭＥ２及びＳＧＳＮ３は、信号受信部１０１と、信号送信部１０２と、記憶部１０３と、呼処理部１０４とを有する。なお、図６は、ＭＭＥ２及びＳＧＳＮ３において本発明の実施の形態に特に関連する機能部のみを示すものであり、少なくとも３Ｇ及びＬＴＥに準拠した動作を行うための図示しない機能も有するものである。また、図６に示す機能構成は一例に過ぎない。本実施の形態に係る動作を実行できるのであれば、機能区分及び機能部の名称はどのようなものでもよい。
【００４９】
信号受信部１０１は、ユーザ装置ＵＥ、ＭＭＥ２、ＳＧＳＮ３、及びＨＳＳ（ＨＬＲ／ＨＳＳ）４から各種の信号を受信する機能を有する。また、信号受信部１０１は、ユーザ装置ＵＥに設定する「eDRX value」を、ＨＳＳ（ＨＬＲ／ＨＳＳ）４、又は、ユーザ装置ＵＥが在圏していたＭＭＥ２若しくはＳＧＳＮ３から受信（取得）する機能を有する。
【００５０】
また、信号受信部１０１は、ユーザ装置ＵＥに設定する「eDRX value」をユーザ装置ＵＥが在圏していたＭＭＥ２若しくはＳＧＳＮ３から受信（取得）することができない場合に、ユーザ装置ＵＥに設定する「eDRX value」をＨＳＳ（ＨＬＲ／ＨＳＳ）４から取得するようにしてもよい。
【００５１】
信号送信部１０２は、ユーザ装置ＵＥ、ＭＭＥ２、ＳＧＳＮ３、及びＨＳＳ（ＨＬＲ／ＨＳＳ）４に向けて各種の信号を送信する機能を有する。信号送信部１０２は、信号受信部１０１で受信（取得）した「eDRX value」をユーザ装置ＵＥに送信する機能を有する。
【００５２】
記憶部１０３は、ＨＳＳ（ＨＬＲ／ＨＳＳ）４から受信した加入者情報（「eDRX value」を含む）を記憶する機能を有する。
【００５３】
呼処理部１０４は、信号受信部１０１で受信された各種の信号を用いて呼処理を行う機能を有する。また、呼処理部１０４は、呼処理に必要な各種の信号を生成して、信号送信部１０２を介して送信する機能を有する。
【００５４】
（ＨＳＳ（ＨＬＲ／ＨＳＳ））
図７は、実施の形態に係るＨＳＳ（ＨＬＲ／ＨＳＳ）の機能構成の一例を示す図である。図７に示すように、ＨＳＳ（ＨＬＲ／ＨＳＳ）４は、信号受信部２０１と、信号送信部２０２と、記憶部２０３と、ＤＢ管理部２０４とを有する。なお、図７は、ＨＳＳ（ＨＬＲ／ＨＳＳ）４において本発明の実施の形態に特に関連する機能部のみを示すものであり、少なくとも３Ｇ及びＬＴＥに準拠した動作を行うための図示しない機能も有するものである。また、図７に示す機能構成は一例に過ぎない。本実施の形態に係る動作を実行できるのであれば、機能区分及び機能部の名称はどのようなものでもよい。
【００５５】
信号受信部２０１は、ＭＭＥ２及びＳＧＳＮ３から各種の信号を受信する機能を有する。
【００５６】
信号送信部２０２は、ＭＭＥ２及びＳＧＳＮ３に向けて各種の信号を送信する機能を有する。また、信号送信部２０２は、ＭＭＥ２若しくはＳＧＳＮ３から要求を受けた場合に、又は、「eDRX value」が変更された場合に、ユーザ装置ＵＥに設定する「eDRX value」をＭＭＥ２若しくはＳＧＳＮ３に送信する機能を有する。
【００５７】
記憶部２０３は、加入者ＤＢを格納する。加入者ＤＢには、ユーザ装置ＵＥごとに加入者情報（「eDRX value」を含む）が記憶される。ＤＢ管理部２０４は、管理装置５の指示に従い、加入者ＤＢに記憶されている加入者情報の追加、変更及び削除等を行う機能を有する。
【００５８】
＜ハードウェア構成＞
上記実施の形態の説明に用いたブロック図（図６及び図７）は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に（例えば、有線及び／又は無線）で接続し、これら複数の装置により実現されてもよい。
【００５９】
例えば、本発明の一実施の形態におけるＭＭＥ２、ＳＧＳＮ３及びＨＳＳ（ＨＬＲ／ＨＳＳ）４は、本発明の通信方法の処理を行うコンピュータとして機能してもよい。図８は、実施の形態に係るＭＭＥ、ＳＧＳＮ及びＨＳＳ（ＨＬＲ／ＨＳＳ）のハードウェア構成の一例を示す図である。上述のＭＭＥ２、ＳＧＳＮ３及びＨＳＳ（ＨＬＲ／ＨＳＳ）４は、物理的には、プロセッサ１００１、メモリ１００２、ストレージ１００３、通信装置１００４、入力装置１００５、出力装置１００６、バス１００７などを含むコンピュータ装置として構成されてもよい。
【００６０】
なお、以下の説明では、「装置」という文言は、回路、デバイス、ユニットなどに読み替えることができる。ＭＭＥ２、ＳＧＳＮ３及びＨＳＳ（ＨＬＲ／ＨＳＳ）４のハードウェア構成は、図に示した各装置を１つ又は複数含むように構成されてもよいし、一部の装置を含まずに構成されてもよい。
【００６１】
ＭＭＥ２、ＳＧＳＮ３及びＨＳＳ（ＨＬＲ／ＨＳＳ）４における各機能は、プロセッサ１００１、メモリ１００２などのハードウェア上に所定のソフトウェア（プログラム）を読み込ませることで、プロセッサ１００１が演算を行い、通信装置１００４による通信、メモリ１００２及びストレージ１００３におけるデータの読み出し及び／又は書き込みを制御することで実現される。
【００６２】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）で構成されてもよい。例えば、ＭＭＥ２及びＳＧＳＮ３の信号受信部１０１と、信号送信部１０２と、記憶部１０３と、呼処理部１０４と、ＨＳＳ（ＨＬＲ／ＨＳＳ）４の信号受信部２０１と、信号送信部２０２と、記憶部２０３と、ＤＢ管理部２０４とは、プロセッサ１００１で実現されてもよい。
【００６３】
また、プロセッサ１００１は、プログラム（プログラムコード）、ソフトウェアモジュール又はデータを、ストレージ１００３及び／又は通信装置１００４からメモリ１００２に読み出し、これらに従って各種の処理を実行する。プログラムとしては、上述の実施の形態で説明した動作の少なくとも一部をコンピュータに実行させるプログラムが用いられる。例えば、ＭＭＥ２及びＳＧＳＮ３の信号受信部１０１と、信号送信部１０２と、記憶部１０３と、呼処理部１０４と、ＨＳＳ（ＨＬＲ／ＨＳＳ）４の信号受信部２０１と、信号送信部２０２と、記憶部２０３と、ＤＢ管理部２０４とは、メモリ１００２に格納され、プロセッサ１００１で動作する制御プログラムによって実現されてもよく、他の機能ブロックについても同様に実現されてもよい。上述の各種処理は、１つのプロセッサ１００１で実行される旨を説明してきたが、２以上のプロセッサ１００１により同時又は逐次に実行されてもよい。プロセッサ１００１は、１以上のチップで実装されてもよい。なお、プログラムは、電気通信回線を介してネットワークから送信されても良い。
【００６４】
メモリ１００２は、コンピュータ読み取り可能な記録媒体であり、例えば、ＲＯＭ（Read  Only  Memory）、ＥＰＲＯＭ（Erasable  Programmable  ＲＯＭ）、ＥＥＰＲＯＭ（Electrically Erasable Programmable ＲＯＭ）、ＲＡＭ（Random  Access  Memory）などの少なくとも１つで構成されてもよい。メモリ１００２は、レジスタ、キャッシュ、メインメモリ（主記憶装置）などと呼ばれてもよい。メモリ１００２は、本発明の一実施の形態に係る通信方法を実施するために実行可能なプログラム（プログラムコード）、ソフトウェアモジュールなどを保存することができる。
【００６５】
ストレージ１００３は、コンピュータ読み取り可能な記録媒体であり、例えば、ＣＤ−ＲＯＭ（Compact  Disc  ＲＯＭ）などの光ディスク、ハードディスクドライブ、フレキシブルディスク、光磁気ディスク（例えば、コンパクトディスク、デジタル多用途ディスク、Ｂｌｕ−ｒａｙ（登録商標）ディスク）、スマートカード、フラッシュメモリ（例えば、カード、スティック、キードライブ）、フロッピー（登録商標）ディスク、磁気ストリップなどの少なくとも１つで構成されてもよい。ストレージ１００３は、補助記憶装置と呼ばれてもよい。上述の記憶媒体は、例えば、メモリ１００２及び／又はストレージ１００３を含むデータベース、サーバその他の適切な媒体であってもよい。
【００６６】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。例えば、
ＭＭＥ２及びＳＧＳＮ３の信号受信部１０１と、信号送信部１０２と、ＨＳＳ（ＨＬＲ／ＨＳＳ）４の信号受信部２０１と、信号送信部２０２とは、通信装置１００４で実現されてもよい。
【００６７】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、LEDランプなど）である。なお、入力装置１００５及び出力装置１００６は、一体となった構成（例えば、タッチパネル）であってもよい。
【００６８】
また、プロセッサ１００１及びメモリ１００２などの各装置は、情報を通信するためのバス１００７で接続される。バス１００７は、単一のバスで構成されてもよいし、装置間で異なるバスで構成されてもよい。
【００６９】
また、ＭＭＥ２、ＳＧＳＮ３及びＨＳＳ（ＨＬＲ／ＨＳＳ）４は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【００７０】
＜まとめ＞
以上、実施の形態によれば、ユーザ装置と通信する交換機と、前記ユーザ装置を管理する管理サーバとを有する無線通信システムにおける交換機であって、前記ユーザ装置に設定する拡張間欠受信パラメータを前記管理サーバから受信する受信部と、受信した前記拡張間欠受信パラメータを前記ユーザ装置に送信する送信部と、を有する交換機が提供される。この交換機によれば、ｅＤＲＸに関するパラメータをＨＳＳ／ＨＬＲで管理することが可能な技術が提供される。
【００７１】
また、前記受信部は、前記ユーザ装置に設定する拡張間欠受信パラメータを前記ユーザ装置が在圏していた他の交換機から受信することができない場合に、前記ユーザ装置に設定する拡張間欠受信パラメータを前記管理サーバから受信するようにしてもよい。これにより、常にＨＳＳ（ＨＬＲ／ＨＳＳ）４からｅＤＲＸに関するパラメータを取得する方法と比較して、ＨＳＳ（ＨＬＲ／ＨＳＳ）４の処理負荷を抑えることが可能になる。
【００７２】
また、実施の形態によれば、ユーザ装置と通信する交換機と、前記ユーザ装置を管理する管理サーバとを有する無線通信システムにおける管理サーバであって、前記ユーザ装置に設定する拡張間欠受信パラメータを、前記ユーザ装置ごとに記憶する記憶部と、前記交換機から要求を受けた場合に、前記ユーザ装置に設定する拡張間欠受信パラメータを前記交換機に送信する送信部と、を有する管理サーバが提供される。この管理サーバによれば、ｅＤＲＸに関するパラメータをＨＳＳ／ＨＬＲで管理することが可能な技術が提供される。
【００７３】
また、実施の形態によれば、ユーザ装置と通信する交換機と、前記ユーザ装置を管理する管理サーバとを有する無線通信システムにおける交換機が実行する通信方法であって、前記ユーザ装置に設定する拡張間欠受信パラメータを前記管理サーバから受信するステップと、受信した前記拡張間欠受信パラメータを前記ユーザ装置に送信するステップと、を有する通信方法が提供される。この通信方法によれば、ｅＤＲＸに関するパラメータをＨＳＳ／ＨＬＲで管理することが可能な技術が提供される。
【００７４】
＜実施の形態の補足＞
本明細書で説明した各態様／実施形態は、ＬＴＥ（Long  Term  Evolution）、ＬＴＥ−Ａ（LTE-Advanced）、ＳＵＰＥＲ  ３Ｇ、ＩＭＴ−Ａｄｖａｎｃｅｄ、４Ｇ、５Ｇ、ＦＲＡ（Future  Radio  Access）、Ｗ−ＣＤＭＡ（登録商標）、ＧＳＭ（登録商標）、ＣＤＭＡ２０００、ＵＭＢ（Ultra  Mobile  Broadband）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、ＵＷＢ（Ultra-WideBand）、Ｂｌｕｅｔｏｏｔｈ（登録商標）、その他の適切なシステムを利用するシステム及び／又はこれらに基づいて拡張された次世代システムに適用されてもよい。
【００７５】
本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【００７６】
入出力された情報等は特定の場所（例えば、メモリ）に保存されてもよいし、管理テーブルで管理してもよい。入出力される情報等は、上書き、更新、または追記され得る。出力された情報等は削除されてもよい。入力された情報等は他の装置へ送信されてもよい。
【００７７】
本明細書で使用する「システム」および「ネットワーク」という用語は、互換的に使用される。
【００７８】
ユーザ装置ＵＥは、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、またはいくつかの他の適切な用語で呼ばれる場合もある。
【００７９】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【００８０】
「含む（ｉｎｃｌｕｄｉｎｇ）」、「含んでいる（ｃｏｍｐｒｉｓｉｎｇ）」、およびそれらの変形が、本明細書あるいは特許請求の範囲で使用されている限り、これら用語は、用語「備える」と同様に、包括的であることが意図される。さらに、本明細書あるいは特許請求の範囲において使用されている用語「または（or）」は、排他的論理和ではないことが意図される。
【００８１】
以上、本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【００８２】
以上、実施の形態において、ＭＭＥ２又はＳＧＳＮ３は交換機の一例である。ＨＳＳ（ＨＬＲ／ＨＳＳ）４は、管理サーバの一例である。「eDRX value」は、拡張間欠受信パラメータの一例である。
（付記）
以上説明した実施の形態に関し、更に以下の付記のようにも記載できる。
（付記１）
ユーザ装置と通信する交換機と、前記ユーザ装置を管理する管理サーバとを有する無線通信システムにおける交換機であって、
前記ユーザ装置に設定する拡張間欠受信パラメータを前記管理サーバ、又は、前記ユーザ装置が在圏していた他の交換機から受信する受信部と、
受信した前記拡張間欠受信パラメータを前記ユーザ装置に送信する送信部と、
を有する交換機。
（付記２）
前記受信部は、前記ユーザ装置に設定する拡張間欠受信パラメータを前記ユーザ装置が在圏していた他の交換機から受信することができない場合に、前記ユーザ装置に設定する拡張間欠受信パラメータを前記管理サーバから受信する、
付記１に記載の交換機。
（付記３）
ユーザ装置と通信する交換機と、前記ユーザ装置を管理する管理サーバとを有する無線通信システムにおける管理サーバであって、
前記ユーザ装置に設定する拡張間欠受信パラメータを、前記ユーザ装置ごとに記憶する記憶部と、
前記交換機から要求を受けた場合に、又は、拡張間欠受信パラメータが変更された場合に、前記ユーザ装置に設定する拡張間欠受信パラメータを前記交換機に送信する送信部と、
を有する管理サーバ。
（付記４）
ユーザ装置と通信する交換機と、前記ユーザ装置を管理する管理サーバとを有する無線通信システムにおける交換機が実行する通信方法であって、
前記ユーザ装置に設定する拡張間欠受信パラメータを前記管理サーバ、又は、前記ユーザ装置が在圏していた他の交換機から受信するステップと、
受信した前記拡張間欠受信パラメータを前記ユーザ装置に送信するステップと、
を有する通信方法。
【符号の説明】
【００８３】
ＵＥ  ユーザ装置
１  基地局
２  ＭＭＥ
３  ＳＧＳＮ
４  ＨＳＳ（ＨＬＲ／ＨＳＳ）
５  管理装置
１０１  信号受信部
１０２  信号送信部
１０３  記憶部
１０４  呼処理部
２０１  信号受信部
２０２  信号送信部
２０３  記憶部
２０４  ＤＢ管理部
１００１  プロセッサ
１００２  メモリ
１００３  ストレージ
１００４  通信装置
１００５  入力装置
１００６  出力装置
【図１】
0006360853.tif 000002
【図２】
0006360853.tif 000003
【図３】
0006360853.tif 000004
【図４】
0006360853.tif 000005
【図５】
0006360853.tif 000006
【図６】
0006360853.tif 000007
【図７】
0006360853.tif 000008
【図８】
0006360853.tif 000009